(57)【特許請求の範囲】
【請求項１】
整流子を貫通させるための開口部を有して該開口部の中心軸線を前記整流子の中心軸線に一致させた状態で配置されるブラシ保持プレートと、該ブラシ保持プレートに固定されたブラシホルダとを備え、前記ブラシホルダは、前記ブラシ保持プレートの開口部の放射方向に長手方向を向けた中空部を有して該中空部の長手方向の一端が前記ブラシ保持プレートの開口部の中心軸線側に開口させられ、前記整流子に接触させられるブラシが、その長手方向を前記ブラシホルダの中空部の長手方向に向け、高さ方向を前記ブラシ保持プレートの前記開口部の軸線方向に向けた状態で前記ブラシホルダの中空部内に挿入されて保持されているモータ用ブラシ保持装置において、
前記ブラシホルダは、前記ブラシ保持プレートの表面に対して直角な方向に起立した高さが等しい互いに平行な一対の側壁部を有して、該一対の側壁部の間に前記中空部が形成され、
前記ブラシホルダの一対の側壁部は、両側壁部の間に形成された中空部内に挿入されたブラシの高さ寸法に等しい高さ寸法を有して、前記一対の側壁部の先端面が前記ブラシの高さ方向の端面と同一の平面上に配置されるように形成され、
前記ブラシホルダの一対の側壁部の先端には、該一対の側壁部の対向方向に突出して該一対の側壁部の長手方向に沿って互いに平行に伸びる一対の突条部が形成され、
前記ブラシホルダの中空部内に挿入されたブラシのコーナ部の内、少なくとも前記ブラシホルダの各側壁部の先端側に配置された各コーナ部には、該ブラシの長手方向に伸びる溝部が形成され、
前記ブラシホルダの各側壁部の先端の突条部は、前記ブラシの対応するコーナ部の溝部に嵌合する形状に形成されて、各側壁部の先端の突条部と前記ブラシの対応する溝部との嵌合により、前記ブラシの前記ブラシホルダからの抜け止めが図られ、
前記ブラシホルダの一対の側壁部のそれぞれに前記ブラシホルダの長手方向に伸びるスリットが形成され、
前記ブラシホルダ内のブラシの側面に一端が接続されたピグテールが前記一対の側壁部の一方に設けられたスリットを通して外部に導出され、
前記ブラシホルダ内のブラシを前記整流子側に付勢するためのバネが、前記一対の側壁部の他方に設けられたスリットを通して前記ブラシホルダ内に挿入されていること、
を特徴とするモータ用ブラシ保持装置。
【請求項２】
整流子を貫通させるための開口部を有して該開口部の中心軸線を前記整流子の中心軸線に一致させた状態で配置されるブラシ保持プレートと、該ブラシ保持プレートに固定されたブラシホルダとを備え、前記ブラシホルダは、前記ブラシ保持プレートの開口部の放射方向に長手方向を向けた中空部を有して該中空部の長手方向の一端が前記ブラシ保持プレートの開口部の中心軸線側に開口させられ、前記整流子に接触させられるブラシが、その長手方向を前記ブラシホルダの中空部の長手方向に向け、高さ方向を前記ブラシ保持プレートの前記開口部の軸線方向に向けた状態で前記ブラシホルダの中空部内に挿入されて保持されているモータ用ブラシ保持装置において、
前記ブラシホルダは、前記ブラシ保持プレートの表面に対して直角な方向に起立した互いに平行な一対の側壁部を有して、該一対の側壁部の間に前記中空部が形成され、
前記ブラシホルダの一対の側壁部は、両側壁部の間に形成された中空部内に挿入されたブラシの高さ寸法に等しい高さ寸法を有して、前記一対の側壁部の先端面が前記ブラシの高さ方向の端面と同一の平面上に配置されるように形成され、
前記ブラシホルダの一対の側壁部の先端部には、該一対の側壁部の対向方向に突出した一対の突条部が形成され、
前記ブラシホルダの中空部内に挿入されたブラシのコーナ部の内、少なくとも前記ブラシホルダの各側壁部の先端側に配置された各コーナ部に面取り部が形成され、
前記ブラシホルダの各側壁部の先端の突条部には、前記ブラシの対応する面取り部に当接する傾斜面が形成されて、各側壁部の先端の突条部の傾斜面と前記ブラシの対応する面取り部との当接により、前記ブラシの前記ブラシホルダからの抜け止めが図られ、
前記ブラシホルダの一対の側壁部のそれぞれに前記ブラシホルダの長手方向に伸びるスリットが形成され、
前記ブラシホルダ内のブラシの側面に一端が接続されたピグテールが前記一対の側壁部の一方に設けられたスリットを通して外部に導出され、
前記ブラシホルダ内のブラシを前記整流子側に付勢するためのバネが、前記一対の側壁部の他方に設けられたスリットを通して前記ブラシホルダ内に挿入されていること、
を特徴とするモータ用ブラシ保持装置。
【請求項３】
前記ブラシホルダは、前記ブラシ保持プレートに設けられた切り欠き溝に嵌合されて該ブラシ保持プレートに結合された基板部を有して、該基板部に前記一対の側壁部が一体に形成され、前記ブラシホルダの基板部の表面と前記ブラシ保持プレートの表面とが同一平面上に配置されていることを特徴とする請求項１または２に記載のモータ用ブラシ保持装置。
【発明の詳細な説明】
【技術分野】
【０００１】
本発明は、ブラシ付き直流モータに用いるブラシ保持装置に関するものである。
【背景技術】
【０００２】
整流子と該整流子に接触するブラシとを備えた直流モータは、整流子に接触するブラシを保持したブラシ保持装置を固定子側に備えている。図６（Ａ）は一例として、特許文献１に示されたブラシ保持装置１を示したもので、このブラシ保持装置は、モータのロータに取り付けられた整流子を貫通させるための開口部２０１を有するブラシ保持プレート２と、ブラシ保持プレート２に固定されたブラシホルダ３とを備えている。ブラシ保持プレート２は、その開口部２０１の中心軸線を整流子の中心軸線（ロータの中心軸線）と一致した状態で配置される。ブラシホルダ３は、断面が矩形状を呈する中空部３０１を有していて、中空部３０１の長手方向の一端側の開口部３０１ａがブラシ保持プレート２の開口部の中心軸線側に開口させられている。図示してないが、ブラシホルダ３の側壁部には、中空部３０１内に挿入されたブラシに接続されているピグテール（可撓性導体）を外部に導出するためのスリットと、ブラシを整流子側に付勢するバネをブラシホルダ３内に挿入するためのスリットとを設ける必要がある。
【０００３】
ブラシホルダ３に保持されるブラシ４は、図６（Ｂ）に示したように、ほぼ角柱状に形成されて、図６（Ｃ）に示されたようにブラシホルダ３の中空部内にスライド自在に挿入されて保持される。ブラシホルダ３内に挿入されたブラシ４は、ブラシホルダ３内に挿入されたバネにより整流子側に付勢されて、整流子に所定の圧力で接触させられる。
【０００４】
特許文献１にはまた、図７に示すように、ブラシ保持プレート２の表面から起立させた１対の側壁部５０１，５０１によりブラシホルダ５を形成して、ブラシホルダ５の側壁部５０１，５０１の間にブラシ６を保持させたブラシ保持装置１′が示されている。このブラシ保持装置においては、ブラシホルダ５を構成する側壁部５０１，５０１の対向面に溝部５ａ，５ａを形成するとともに、ブラシ６の側面に突条部６ａ，６ａを突設して、ブラシ６の突条部６ａ，６ａをブラシホルダの側壁部５０１，５０１の溝部５ａ，５ａに嵌合させることにより、ブラシ６をブラシホルダ５に保持させている。
【先行技術文献】
【特許文献】
【０００５】
【特許文献１】実開平２−３１６９号公報
【発明の概要】
【発明が解決しようとする課題】
【０００６】
従来のブラシ保持装置においては、図６に示したように、ブラシホルダ３が天井部３０２を有していたため、この天井部３０２の厚さｔだけブラシ保持装置の高さが高くなり、このことが、モータの軸線方向寸法の縮小を図る上で障害になっていた。ブラシ保持装置の高さを低くするために、ブラシの高さを低くすることが考えられるが、ブラシの高さを低くするとブラシの剛性が低下するため好ましくない。
【０００７】
図７に示したブラシ保持装置のように、ブラシホルダ５の天井部を省略すれば、ブラシ保持装置の高さを低くすることが可能である。しかしながら、図７に示したブラシ保持装置では、ブラシホルダ５の中空部内にブラシ６を保持することを可能にするために、ブラシ６の側面の中間部に突条部６ａを形成するとともに、ブラシホルダの側壁の内面の中間部に溝部５ａを形成する必要があるため、ブラシホルダの側壁部５０１、５０１にピグテール導出用のスリットと、ブラシを付勢するためのバネを挿入するためのスリットとを形成することが困難である。特にブラシの高さが低く、ブラシホルダの側壁部の高さが低い場合、ブラシホルダの側壁部５０１，５０１にスリットを形成することは殆ど不可能である。またブラシは成形型を用いて製造される焼結品であるため、その側面の中間部に突条部６ａを形成することは容易ではない。
【０００８】
本発明の目的は、ブラシの側面の中間部に突条部を形成することなく、またブラシホルダの側壁部の内面に溝部を形成することなく、天井部を有しないブラシホルダ内にブラシを保持させることができるようにして、モータの軸線方向寸法の縮小を図ることができるようにしたモータ用ブラシ保持装置を提供することにある。
【課題を解決するための手段】
【０００９】
本発明は、整流子を貫通させるための開口部を有して該開口部の中心軸線を整流子の中心軸線に一致させた状態で配置されるブラシ保持プレートと、該ブラシ保持プレートに固定されたブラシホルダとを備えたブラシ保持装置を対象とする。本発明が対象とするブラシ保持装置においては、ブラシホルダが、ブラシ保持プレートの開口部の放射方向に長手方向を向けた中空部を有して該中空部の長手方向の一端がブラシ保持プレートの開口部の中心軸線側に開口させられる。また整流子に接触させられるブラシは、その長手方向をブラシホルダの中空部の長手方向に向け、高さ方向をブラシ保持プレートの開口部の軸線方向に向けた状態でブラシホルダの中空部内に挿入されて保持される。
【００１０】
本願の請求項１に記載された発明に係わるブラシ保持装置で用いるブラシホルダは、ブラシ保持プレートの表面に対して直角な方向に起立した高さが等しい互いに平行な一対の側壁部を有して、該一対の側壁部の間に前記中空部が形成されている。ブラシホルダの一対の側壁部は、両側壁部の間に形成された中空部内に挿入されたブラシの高さ寸法に等しい高さ寸法を有して、一対の側壁部の先端面がブラシの高さ方向の端面と同一の平面上に配置されるように形成されている。またブラシホルダの一対の側壁部の先端には、該一対の側壁部の対向方向に突出して該一対の側壁部の長手方向に沿って互いに平行に伸びる一対の突条部が形成され、ブラシホルダの中空部内に挿入されたブラシのコーナ部の内、少なくともブラシホルダの各側壁部の先端側に配置された各コーナ部には、該ブラシの長手方向に伸びる溝部が形成されている。ブラシホルダの各側壁部の先端の突条部は、ブラシの対応するコーナ部の溝部に嵌合する形状に形成されていて、各側壁部の先端の突条部とブラシの対応する溝部との嵌合により、ブラシのブラシホルダからの抜け止めが図られている。本発明においてはまた、ブラシホルダの一対の側壁部のそれぞれにブラシホルダの長手方向に伸びるスリットが形成されていて、ブラシホルダ内のブラシの側面に一端が接続されたピグテールが前記一対の側壁部の一方に設けられたスリットを通して外部に導出され、ブラシホルダ内のブラシを整流子側に付勢するためのバネが、一対の側壁部の他方に設けられたスリットを通してブラシホルダ内に挿入されている。
【００１１】
本願の請求項２に記載された発明に係わるブラシ保持装置においては、ブラシホルダの一対の側壁部の先端部に、該一対の側壁部の対向方向に突出した一対の突条部が形成され、ブラシホルダの中空部内に挿入されたブラシのコーナ部の内、少なくともブラシホルダの各側壁部の先端側に配置された各コーナ部に面取り部が形成されている。またブラシホルダの各側壁部の先端の突条部には、ブラシの対応する面取り部に当接する傾斜面が形成され、各側壁部の先端の突条部の傾斜面とブラシの対応する面取り部との当接により、ブラシのブラシホルダからの抜け止めが図られている。その他の構成は請求項１に記載されたブラシ保持装置と同様である。
【００１２】
本願の請求項３に記載された発明は、請求項１または２に記載された発明に適用されるもので、本発明においては、ブラシホルダが、ブラシ保持プレートに設けられた切り欠き溝に嵌合されて該ブラシ保持プレートに結合された基板部を有して、該基板部に前記一対の側壁部が一体に形成され、ブラシホルダの基板部の表面とブラシ保持プレートの表面とが同一平面上に配置されている。
【発明の効果】
【００１３】
本発明によれば、ブラシホルダを、ブラシ保持プレートの表面に対して直角な方向に起立した一対の側壁部により形成して、一対の側壁部の高さを該側壁部の間に挿入されたブラシの高さに等しくしたので、ブラシホルダの天井部を省略してブラシ保持装置の高さを低くすることができる。
【００１４】
本発明によれば、ブラシの側面の中間部に突条部を形成するのではなく、ブラシホルダの側壁部の先端に形成した突条部をブラシのコーナ部に設けた溝部または面取り部に当接させることによりブラシの抜け止めを図るので、ブラシホルダの側壁部にピグテール導出用のスリットとブラシを付勢するバネを挿入するためのスリットを設けることが容易であり、ブラシ保持装置の機能を何等損なうことなく、その高さ寸法を縮小してモータの小型化を図ることができる。
【００１５】
また本発明によれば、ブラシの高さを低くすることなくブラシ保持装置の高さ寸法を縮小することができるため、ブラシの剛性を低下させることなくモータの小型化を図ることができる。
【００１６】
ブラシを製造する際にそのコーナ部に溝部または面取り部を形成することは、ブラシの側面に突条部を形成することに比べてはるかに容易であるため、本発明によれば、ブラシの生産性を低下させることなく、ブラシ保持装置の高さ寸法の縮小を図ってモータの小型化を図ることができる。
【００１７】
請求項３に記載された発明によれば、ブラシホルダに基板部を設けて、該基板部をブラシ保持プレートに設けられた切り欠き溝内に嵌合させることによりブラシホルダをブラシ保持プレートに結合する構造にしたので、種々のブラシに適応したブラシホルダの基板部の寸法を規格化しておくことにより、種々のブラシに対してブラシ保持プレートを共用することができ、コストの低減を図ることができる。
【図面の簡単な説明】
【００１８】
【図１】（Ａ）は本発明の一実施形態に係わるブラシ保持装置の斜視図、（Ｂ）は同ブラシ保持装置のブラシ保持プレートに設けられた切り欠き溝を示した要部拡大斜視図である。
【図２】（Ａ）及び（Ｂ）はそれぞれ同実施形態で用いるブラシホルダ及びブラシの斜視図である。（Ｃ）はブラシホルダにブラシを保持させた状態を示した斜視図である。
【図３】（Ａ）及び（Ｂ）はそれぞれ本発明の他の実施形態で用いるブラシホルダ及びブラシの斜視図である。（Ｃ）は同ブラシホルダにブラシを保持させた状態を示した斜視図である。
【図４】図１のブラシホルダをモータのロータと組み合わせた状態を示した側面図である。
【図５】図４のＶ−Ｖ線断面図である。
【図６】（Ａ）及び（Ｂ）はそれぞれ従来のブラシホルダ及びブラシの斜視図である。（Ｃ）は（Ａ）のブラシホルダにブラシを保持させた状態を示した斜視図である。
【図７】従来の他のブラシ保持装置の一部を示した斜視図である。
【発明を実施するための形態】
【００１９】
図１（Ａ）は、本発明の一実施形態を示した斜視図で、図示のブラシ保持装置１０は、ブラシ保持プレート１１と、ブラシ保持プレート１１に固定された一対のブラシホルダ１２，１２と、一対のブラシホルダ１２，１２にそれぞれ保持されたブラシ１３，１３とからなっている。
【００２０】
ブラシ保持プレート１１は、絶縁樹脂の成形品からなっていて、モータのロータに取り付けられた整流子（図１には図示せず。）を貫通させるための開口部１１ａを有している。ブラシ保持プレート１１の外周部の１８０°離れた対称位置には、一対の起立壁部１１ｂ，１１ｂが形成され、起立壁部１１ｂと１１ｂとの間の部分には舌片状の突出部１１ｃが形成されている。ブラシ保持プレート１１は、その開口部１１ａの中心軸線を図示しない整流子の中心軸線と一致させた状態で配置される。ブラシ保持プレート１１には、開口部１１ａの放射方向に伸びる一対のコの字形の切り欠き溝１１ｄが、該ブラシ保持プレートを厚み方向に貫通した状態で形成されている。図１（Ｂ）に示されているように、各切り欠き溝１１ｄは、開口部１１ａの内周面１１a1に開口部を有するように形成されていて、各切り欠き溝１１ｄの幅方向に相対する内面には、各切り欠き溝の長手方向に伸びる溝部１１d1が形成されている。各切り欠き溝１１ｄは、ブラシホルダ１２をブラシ保持プレート１１に結合するために用いられる。
【００２１】
ブラシ保持プレート１１には、絶縁樹脂の成型品からなるブラシホルダ１２が結合される。図２（Ａ）に示されているように、各ブラシホルダ１２は、長方形状の基板部１２ａと、該基板部の表面１２a1から起立した互いに平行な一対の側壁部１２ｂ，１２ｂとを一体に有している。側壁部１２ｂ，１２ｂは、基板部の表面１２a1からの高さｈが等しくなるように形成されていて、これら一対の側壁部１２ｂ，１２ｂの間に同図（Ｂ）に示されたブラシ１３を挿入するための中空部１２ｃが形成されている。
【００２２】
図２（Ｂ）に示されているように、ブラシ１３は、中心軸線の周囲に４つのコーナ部を有するほぼ角柱状の形状に形成されている。ブラシ１３は、その長手方向をブラシホルダ１２の中空部１２ｃの長手方向に向け、高さ方向をブラシ保持プレートの開口部１１ａの軸線方向に向けた状態で、ブラシホルダ１２の中空部１２ｃ内に挿入される。
【００２３】
図２（Ａ）に示されているように、ブラシホルダ１２の一対の側壁部１２ｂ，１２ｂの先端部（基板部１２ａと反対側の端部）には、両側壁部の対向方向の内側（中空部１２c側）に突出した状態で側壁部１２ｂ，１２ｂの長手方向に平行に伸びる帯状の突条部１２b2，１２b2が形成されている。
【００２４】
本実施形態では、ブラシ１３がほほ正四角柱状を呈するように形成されていて、ブラシ１３の４つのコーナ部には、断面がＬ字形の形状を有してブラシ１３の長手方向に連続して伸びる溝部１３a2が形成されている。ブラシホルダ１２の各側壁部１２ｂの先端に形成された突条部１２b2は、ブラシ１３の各コーナ部の溝部１３a2に嵌合し得る形状を有していて、図２（Ｃ）に示すように、ブラシ１３をブラシホルダ１２の側壁部１２ｂ，１２ｂの間に挿入した際に、ブラシ１３の４つのコーナ部のうち、ブラシホルダの側壁部１２ｂ，１２ｂの先端側に位置するコーナ部に形成された溝部１３a2，１３a2に、ブラシホルダの側壁部１２ｂ、１２ｂの先端の突条部１２b2，１２b2が嵌合されるようになっている。このように、ブラシ１３をブラシホルダの側壁部１２ｂ，１２ｂの間の中空部内に挿入した状態で、ブラシホルダの突条部１２b2，１２b2がブラシの溝部１３a2，１３a2に嵌合することにより、ブラシ１３のブラシホルダからの抜け止めが図られる。
【００２５】
ブラシホルダ１２の一対の側壁部１２ｂ，１２ｂの高さｈは、両側壁部の間に形成された中空部１２ｃ内に挿入されたブラシ１３の高さｈに等しく設定されている。従って、図２（Ｃ）に示すように、ブラシ１３をブラシホルダの側壁部１２ｂ，１２ｂの間の中空部内に挿入した状態では、ブラシホルダ１２の一対の側壁部１２ｂ，１２ｂの先端面１２b1，１２b1と、ブラシ１３の高さ方向の端面１３b1とが同一の平面上に配置される。
【００２６】
ブラシホルダ１２は、その中空部１２ｃの長手方向をブラシ保持プレート１１の開口部１１ａの放射方向に向けた状態で配置されて、その基板部１２ａが、ブラシ保持プレート１１に設けられた切り欠き溝１１ｄ内に嵌合されることによりブラシ保持プレート１１に結合される。
【００２７】
図示の例では、ブラシホルダの基板部１２ａの幅方向の両側面に、基板部１２ａの長手方向に伸びる突条部１２a2，１２a2が形成され、基板部１２ａがブラシ保持プレートに設けられた切り欠き溝１１d内に嵌合された際に、突条部１２a2，１２a2が切り欠き溝１１ｄの内面の溝部１１d1，１１d1に嵌合して、基板部１２ａがブラシ保持プレートの厚み方向に位置決めされるようになっている。ブラシホルダの基板部１２ａの厚みは、ブラシ保持プレート１１の厚みに等しく設定されていて、ブラシホルダ１２をブラシ保持プレート１１に結合した状態で、ブラシホルダ１２の基板部１２ａの表面１２a1とブラシ保持プレート１１の表面１１ｅ（図１Ａ参照）とが同の一平面上に配置されるようになっている。
【００２８】
図１に示されているように、各ブラシホルダ１２の側壁部１２ｂ，１２ｂには、ブラシホルダの長手方向に伸びるスリット１２ｄ，１２ｄが形成され、ブラシ１３の側面に一端が接続されたピグテール１４が一方の側壁部１２ｂに設けられたスリット１２ｄを通して外部に導出されている。ピグテール１４の他端は、ブラシ保持プレート１１に取り付けられた端子金具１５に接続されている。またブラシ保持プレート１１に設けられたバネ保持部１１ｆに後端部側が固定された板バネ１６の先端部が、ブラシホルダの他方の側壁部１２ｂに設けられたスリット１２ｄを通してブラシホルダ１２内に挿入され、ブラシホルダ１２内に挿入された板バネ１６の先端がブラシ１３の後端部に当接されて、ブラシ１３が整流子側に付勢されている。
【００２９】
図４及び図５に示したように、ブラシ１３を保持したブラシホルダ１２が結合されたブラシ保持プレート１１は、直流モータのフレーム２０に固定される。フレーム２０にはベアリング２１が保持されていて、このベアリング２１によりモータの回転軸２２が回転自在に支持されている。回転軸２２には電機子鉄心２３に電機子コイル２４を巻回したロータ２５と整流子２６とが取り付けられている。整流子２６はブラシ保持プレート１１に設けられた開口部１１ａを貫通した状態で配置され、ブラシホルダ１２に保持されたブラシ１３が整流子２６に接触させられている。ロータ２５は図示しないモータケース内に挿入され、該モータケースの内周に固定されたステータの磁極部がロータ２５の磁極部に対向させられる。図４において、２７及び２８は、回転軸２２の一端及び他端を図示しないモータケースの端部壁に支持するためのベアリングである。
【００３０】
上記のように、本発明においては、ブラシホルダ１２を、基板部１２ａと該基板部の表面から突出した一対の側壁部１２ｂ，１２ｂとにより形成して、一対の側壁部１２ｂ，１２ｂの高さを該側壁部の間に挿入されるブラシ２３の高さに等しくすると共に、ブラシホルダの基板部１２ａをブラシ保持プレート１１に設けた切り欠き溝１１ｄ内に嵌合させた状態でブラシ保持プレート１１に結合して、ブラシホルダ１２の基板部１２ａの表面とブラシ保持プレート１１の表面とを同一の平面上に位置させたので、ブラシホルダ１２の天井部を省略してブラシ保持装置１０の高さを低くすることができる。
【００３１】
上記の実施形態のように、ブラシ１３の側面の中間部に突条部を形成するのではなく、ブラシホルダ１２の側壁部１２ｂ，１２ｂの先端に形成した突条部をブラシのコーナ部に設けた溝部または面取り部に当接させることによりブラシの抜け止めを図る構造にすると、ブラシホルダ１２の側壁部にピグテール導出用のスリットとブラシを付勢するバネを挿入するためのスリットとを設けることが容易であり、ブラシ保持装置の機能を何等損なうことなく、その高さ寸法を縮小してモータの小型化を図ることができる。
【００３２】
また上記のように構成すると、ブラシ１３の高さを低くすることなくブラシ保持装置１０の高さ寸法を縮小することができるため、ブラシの剛性を低下させることなくモータの小型化を図ることができる。
【００３３】
ブラシ１３を成形型を用いて焼結する際にそのコーナ部に溝部または面取り部を形成することは、ブラシの側面に突条部を形成することに比べてはるかに容易である。従って、本発明によれば、ブラシの生産性を低下させることなく、ブラシ保持装置の高さ寸法の縮小を図ってモータの小型化を図ることができる。
【００３４】
上記の実施形態では、ブラシ１３の各コーナ部に溝部１３a2を形成して、ブラシホルダ１２の各側壁部１２ｂの先端に形成した突条部１２b2を、各側壁部１２ｂの先端に隣接するブラシ１３のコーナ部の溝部１３a2に嵌合させるように構成したが、本発明はこのように構成する場合に限定されない。
【００３５】
例えば、図３（Ｂ）に示したように、ブラシ１３の各コーナ部に面取り部１３ｃを形成するとともに、図３（Ａ）に示すように、ブラシホルダの各側壁部１２ｂの先端部に形成した突条部１２b2にブラシ１３の各コーナ部の面取り部１３ｃに当接する傾斜面１２b3を形成して、図３（Ｃ）に示すように、ブラシ１３をブラシホルダ１２の中空部内に挿入した際に、ブラシホルダ１２の各側壁部１２ｂの先端の突条部１２b2の傾斜面１２b3をブラシの対応する面取り部１３ｃに当接させることにより、ブラシ１３のブラシホルダ１２からの抜け止めを図る構造にしてもよい。
【００３６】
上記の実施形態のように、ブラシ１３をほぼ正四角柱状に形成して、ブラシ１３の４つのコーナ部のすべてに溝部１３a2または面取り部１３ｃを形成して、ブラシホルダ１２の側壁部１２ｂ，１２ｂの先端に設けた突条部１２b2，１２b2をブラシの溝部１３a2，１３a2に嵌合させるか、または突条部１２b2，１２b2に設けた傾斜面１２b3，１２b3をブラシの面取り部１３c，１３cに当接させる構造にすると、ブラシホルダ１２の中空部内にブラシ１３を挿入する際に、ブラシの向きを気にする必要がなくなるので、モータの組立を容易にすることができる。しかしながら、本発明はこのようにブラシを構成する場合に限定されるものではなく、ブラシ１３の４つのコーナ部のうち、ブラシホルダ１２の側壁部１２ｂ，１２ｂの先端側に配置されることになる２つのコーナ部のみに溝部１３a2または面取り部１３cを形成するようにしてもよい。この場合ブラシ１３は正四角柱状でなくてもよい。即ち本発明において用いるブラシ１３は、少なくともブラシホルダ１２の各側壁部の先端側に配置される各コーナ部にブラシの長手方向に伸びる溝部または面取り部を有するものであればよい。
【００３７】
上記の実施形態では、ブラシ保持プレート１１に設ける開口部１１ａが孔からなっているが、開口部１１ａはモータのロータに取り付けられた整流子を貫通させ得るように形成されていいればよく、周方向に閉じた孔である必要はない。即ち開口部１１ａは切り欠き状に形成されていてもよい。開口部１１ａは、どのような形状に形成される場合でも、ロータの中心軸線に一致する中心軸線を有する。
【００３８】
上記の実施形態のように、ブラシホルダ１２を、基板部１２ａと、該基板部の表面に対して直角な方向に起立した一対の側壁部１２ｂ，１２ｂとを一体に有する構造にして、ブラシホルダの基板部１２ａをブラシ保持プレートに設けられた切り欠き溝に嵌合させることにより、ブラシホルダ１２をブラシ保持プレート１１に結合する構造にしておくと、種々の寸法、形状を有するブラシに適応したブラシホルダの基板部の寸法を規格化しておくことにより、種々の寸法、形状を有するブラシに対してブラシ保持プレート１１を共用することができ、コストの低減を図ることができる。
【００３９】
しかしながら本発明においては、ブラシホルダが、ブラシ保持プレートの表面に対して直角な方向に起立した一対の側壁部１２ｂ，１２ｂを有していればよく、上記の実施形態のようにブラシホルダを構成する場合に限定されない。ブラシホルダを構成する一対の側壁部１２ｂ、１２ｂは、ブラシ保持プレート１１に一体に形成するようにしてもよい。
【符号の説明】
【００４０】
１０  ブラシ保持装置
１１  ブラシ保持プレート
１１ａ  開口部
１１ｄ  切り欠き溝
１２  ブラシホルダ
１２ａ  基板部
１２ｂ  側壁部
１２ｃ  中空部
１２b1  側壁部の先端面
１２b2  突条部
１２b3  傾斜面
１３  ブラシ
１３a2  ブラシのコーナ部の溝部
１３ｃ  ブラシのコーナ部の面取り部
【図１】
0005534147.tif 000002
【図２】
0005534147.tif 000003
【図３】
0005534147.tif 000004
【図４】
0005534147.tif 000005
【図５】
0005534147.tif 000006
【図６】
0005534147.tif 000007
【図７】
0005534147.tif 000008